(57)【要約】【課題】  下りＴＣＰ通信のスループットを改善する。【解決手段】  距離測定装置４４が、各ＯＮＵ２２−１〜２２−３までの距離を計測し、帯域割当てテーブル４６の距離フィールド５２に格納する。送信間隔順序決定装置４８は、テーブル４６の距離フィールド５２に格納される各ＯＮＵ２２−１〜２２−３に対する距離を参照して、各ＯＮＵ２２−１〜２２−３に対する送信間隔と順序を決定する。距離に反比例する送信間隔（参考値）を決定し、この参考値から単位時間内の送信回数を決定する。送信間隔順序決定装置４８は、トータルの送信回数に対する個々のＯＮＵ２２−１〜２２−３への送信回数の割合に相当する発生確率で、各ＯＮＵ２２−１〜２２〜３にランダムに送信を割り当てる。【選択図】  図１
2007288629.tif 000002
【特許請求の範囲】
【請求項１】
複数のユーザ終端装置が収容され、各ユーザ終端装置にＴＤＭＡ（Ｔｉｍｅ  Ｄｏｍａｉｎ  Ｍｕｌｔｉｐｌｅ  Ａｃｃｅｓｓ）による送信を許可するデータ伝送システムにおいて、
各ユーザ終端装置への距離を測定する距離測定ステップ（４４）と、
当該距離測定ステップで測定された距離に反比例する送信間隔で、当該各ユーザ終端装置に送信を許可する送信許可ステップ（４８）
とを具備することを特徴とする送信割当て方法。
【請求項２】
当該送信許可ステップが、
当該距離測定ステップで測定される距離に反比例する参考送信間隔を決定するステップと、
当該参考送信間隔から単位時間内の送信回数を決定するステップと、
当該各ユーザ終端装置の当該単位時間内の送信回数のトータル値に対する個々の当該ユーザ終端装置の当該単位時間内の送信回数の割合に相当する発生確率で、当該各ユーザ終端装置にランダムに送信を割り当てる送信割当てステップ
とを具備することを特徴とする請求項１に記載の送信割当て方法。
【請求項３】
更に、
当該各ユーザ終端装置の距離に応じて、当該各ユーザ終端装置への最大送信データ量を決定するステップと、
当該各ユーザ終端装置の当該単位時間内の送信回数を、当該最大送信データ量に応じて調整するステップ
とを具備することを特徴とする請求項２に記載の送信割当て方法。
【請求項４】
当該送信許可ステップが、
単位時間内で基準送信周期により上り送信可能な送信回数を算定するステップと、
当該上り送信可能な送信回数から当該各ユーザ終端装置への保証送信回数を除外した送信回数を、当該各ユーザ終端装置の距離に応じて当該各ユーザ終端装置に配分するステップと、
当該各ユーザ終端装置に配分される送信回数と当該保証送信回数の和に応じた発生確率で、当該各ユーザ終端装置にランダムに送信を割り当てるステップ
とを具備することを特徴とする請求項１に記載の送信割当て方法。
【請求項５】
当該データ伝送システムが、ＰＯＮ（Ｐａｓｓｉｖｅ  Ｏｐｔｉｃａｌ  Ｎｅｔｗｏｒｋ）システムであることを特徴とする請求項１乃至４の何れか１項に記載の送信割当て方法。
【請求項６】
複数のユーザ終端装置が収容され、各ユーザ終端装置にＴＤＭＡ（Ｔｉｍｅ  Ｄｏｍａｉｎ  Ｍｕｌｔｉｐｌｅ  Ａｃｃｅｓｓ）による送信を許可するデータ伝送システムにおいて、
当該各ユーザ終端装置への距離を測定する距離測定装置（４４）と、
当該距離測定ステップで測定された距離に反比例する送信間隔で、当該各ユーザ終端装置に送信を許可する送信許可装置（４８）
とを具備することを特徴とする送信割当て装置。
【請求項７】
当該送信許可装置が、
当該距離測定ステップで測定される距離に反比例する参考送信間隔を決定する装置と、
当該参考送信間隔から単位時間内の送信回数を決定する装置と、
当該各ユーザ終端装置の当該単位時間内の送信回数のトータル値に対する個々の当該ユーザ終端装置の当該単位時間内の送信回数の割合に相当する発生確率で、当該各ユーザ終端装置にランダムに送信を割り当てる送信割当て装置
とを具備することを特徴とする請求項６に記載の送信割当て装置。
【請求項８】
当該送信許可装置が、
単位時間内で基準送信周期により上り送信可能な送信回数を算定する装置と、
当該上り送信可能な送信回数から当該各ユーザ終端装置への保証送信回数を除外した送信回数を、当該各ユーザ終端装置の距離に応じて当該各ユーザ終端装置に配分する装置と、
当該各ユーザ終端装置に配分される送信回数と当該保証送信回数の和に応じた発生確率で、当該各ユーザ終端装置にランダムに送信を割り当てる装置
とを具備することを特徴とする請求項６に記載の送信割当て装置。
【発明の詳細な説明】
【技術分野】
【０００１】
本発明は、時分割多元アクセスＴＤＭＡ（Ｔｉｍｅ  Ｄｏｍａｉｎ  Ｍｕｌｔｉｐｌｅ  Ａｃｃｅｓｓ）を利用する光伝送システムにおける送信割当て方法及び装置に関する。
【背景技術】
【０００２】
ＧＥ−ＰＯＮ（Ｇｉｇａｂｉｔ  Ｅｔｈｅｒｎｅｔ  Ｐａｓｓｉｖｅ  Ｏｐｔｉｃａｌ  Ｎｅｔｗｏｒｋ）による光アクセス方式が普及しつつある。なお、Ｅｔｈｅｒｎｅｔ及びイーサネットは登録商標である。ＰＯＮでは、センター局に配置される光終端装置ＯＬＴ（Ｏｐｔｉｃａｌ  Ｌｉｎｅ  Ｔｅｒｍｉｎａｌ）に、光ファイバ及び光カップラからなる光伝送路を介して複数のユーザ光終端装置ＯＮＵ（Ｏｐｔｉｃａｌ  Ｎｅｔｗｏｒｋ  Ｕｎｉｔ）を接続する。ＧＥ−ＰＯＮでは、１本の光ファイバで１６又は３２個のＯＮＵを収容するのが一般的であるが、規格上、１本の光ファイバで収容可能なＯＮＵ数に上限はなく、６４又は１２８個のＯＮＵを収容することも可能である。
【０００３】
ＧＥ−ＰＯＮでは、ＯＮＵからの上り信号の伝送にＴＤＭＡ（Ｔｉｍｅ  Ｄｏｍａｉｎ  Ｍｕｌｔｉｐｌｅ  Ａｃｃｅｓｓ）を利用する。即ち、ＯＬＴが各ＯＮＵに送信タイミングと送信期間を通知し、ＯＮＵは、与えられた送信タイミングの送信期間内に信号を送信する。
【０００４】
現在のインターネット通信では、ファイルダウンロードにＴＣＰが用いられている。ＴＣＰ通信では、図５に示すように、サーバが一定のデータ量ＷＳ（Ｗｉｎｄｏｗ  Ｓｉｚｅ）のデータをクライアントに送信し、クライアントが受信通知であるＡＣＫ信号をサーバに返信する。サーバは、ＡＣＫ信号を受信すると、データ量ＷＳの次のデータをクライアントに送信する。これらの手順を、全データを伝送し終えるまで、繰り返す。
【０００５】
このように、サーバからクライアントへのデータ量ＷＳのデータの送信と、クライアントからサーバへのＡＣＫ信号の送信をセットとして、これを繰り返すことにより、サーバからクライアントにデータが伝送される。サーバがＷＳ分のデータを送信してからクライアントからのＡＣＫ信号を受信するまでの時間を、ＲＴＴ（Ｒｏｕｎｄ  Ｔｒｉｐ  Ｔｉｍｅ）と呼ぶ。データ量ＷＳを時間ＲＴＴで送信することになるので、ＴＣＰスループットはＷＳ／ＲＴＴで定義される。
【０００６】
サーバとクライアントの間にＧＥ-ＰＯＮが介在した場合、ＴＣＰ通信は、図６に示す手順で実現される。即ち、（１）クライアントが接続するＯＮＵは、クライアントからのＡＣＫ信号を一旦、バッファに蓄積する。（２）このＯＮＵは、送信すべきデータがあることをＲｅｐｏｒｔフレームによりＯＬＴに通知する。（３）ＯＬＴは、各ＯＮＵからのＲｅｐｏｒｔフレームを集約し、送信タイミングと送信期間をＧａｔｅフレームにより各ＯＮＵに通知する。（４）ＯＮＵは、ＯＬＴからのＧａｔｅフレームにより指示される送信タイミングと送信期間を使って、ＡＣＫ信号をサーバに向けて送信する。
【０００７】
実際には、ＧＥ−ＰＯＮでは、ＬＬＩＤ（Ｌｏｇｉｃａｌ  Ｌａｙｅｒ  Ｉｄｅｎｔｉｆｉｅｒ）単位で上記の手順が行われるが、ここでは、簡略化して説明している。ＬＬＩＤは、ＯＮＵに複数、付与することが可能である。
【０００８】
特許文献１には、ＧＥ−ＰＯＮにおいて、ＯＬＴが、ＯＮＵから伝送されたＲＥＰＯＴメッセージ内の多重キュー要求情報に基づいてスケジューリングを行った後、単一のＯＮＵに対して統合されたスケジューリング結果をゲートメッセージを通じて伝送し、ＯＮＵのスケジューラー７０が、ＯＬＴにより割り当てられた帯域幅に基づいてスケジューリングを行い、自分に属する各キューに伝送帯域幅を割り当てる動的帯域割当て法が記載されている。
【特許文献１】特開２００５−０１２８００号公報
【発明の開示】
【発明が解決しようとする課題】
【０００９】
ＧＥ−ＰＯＮを使用する場合、ＡＣＫ信号が一時的にＯＮＵに蓄積されるので、ＴＣＰスループットのＲＴＴは、ＯＮＵにおけるＡＣＫ信号の送信待ち時間を含むこととなり、ＴＣＰスループットを大幅に悪化させる。
【００１０】
ＯＬＴが各ＯＮＵに割り当てる送信間隔を短くすれば、送信待ち時間を短縮できる。しかし、従来、送信期間はどのＯＮＵに対しても一定であるので、送信間隔を短くすると、送信期間を短くすることになる。送信期間が短くなると、相対的にオーバーヘッドが増えるので、上りの実効帯域が減少する。
【００１１】
図７は、送信間隔が大きい場合と小さい場合の送信フレームの配置例を示す。図７（ａ）は送信間隔が小さい場合を示し、同（ｂ）は大きい場合を示す。図７（ａ），（ｂ）から、送信間隔が小さいほど、次の送信タイミングまでの待ち時間が短くなるが、オーバーヘッド部分が相対的に増して実効データレートが低下することが分かる。
【００１２】
アクセス系では上りのスループットよりも下りのスループットの方が重要である。
【００１３】
本発明は、ＴＤＭＡ方式における下りのＴＣＰスループットを改善する送信割当て方法及び装置を提示することを目的とする。
【課題を解決するための手段】
【００１４】
本発明に係る送信割当て方法は、複数のユーザ終端装置が収容され、各ユーザ終端装置にＴＤＭＡによる送信を許可するデータ伝送システムにおいて、各ユーザ終端装置への距離を測定する距離測定ステップと、当該距離測定ステップで測定された距離に反比例する送信間隔で、当該各ユーザ終端装置に送信を許可する送信許可ステップとを具備することを特徴とする。
【００１５】
本発明に係る送信割当て装置は、複数のユーザ終端装置が収容され、各ユーザ終端装置にＴＤＭＡによる送信を許可するデータ伝送システムにおいて、当該各ユーザ終端装置への距離を測定する距離測定装置と、当該距離測定ステップで測定された距離に反比例する送信間隔で、当該各ユーザ終端装置に送信を許可する送信許可装置とを具備することを特徴とする。
【発明の効果】
【００１６】
本発明によれば、下りＴＣＰ通信のためのＡＣＫ信号の送信間隔を短縮でき、その結果として、下りＴＣＰのスループットを改善できる。
【発明を実施するための最良の形態】
【００１７】
以下、図面を参照して、本発明の実施例を詳細に説明する。
【実施例１】
【００１８】
図１は、本発明の一実施例の概略構成ブロック図を示す。図２は、ＴＣＰの接続から切断までのシーケンスを示す。ここでは、理解を容易にするために、３台のＯＮＵが収容されているとする。先に説明したように、一般的には、ＧＥ−ＰＯＮシステムには、より多くのＯＮＵを接続できる。
【００１９】
センター局に配置される光終端装置（ＯＬＴ）１０のアップリンクポート１０ａは上位ネットワーク１２に接続し、上位ネットワーク１２には、サーバ１４が接続する。アップリンクポート１０ａと上位ネットワーク１２のインターフェースは、１０００Ｂａｓｅ−Ｔ又は１０００Ｂａｓｅ−ＳＸ等である。
【００２０】
ＯＬＴ１０のＰＯＮポート１０ｂは、光ファイバ１６を介して１：ｎの光カップラ１８に接続する。図示例では、ｎ＝３である。光カップラ１８は、光ファイバ１６からの下り信号光を３分割し、各分割信号光を光ファイバ２０−１〜２０−３に出力する。各光ファイバ２０−１〜２０−３の他端は、各ユーザ宅に配置される光終端装置（ＯＮＵ）２２−１〜２２−３に接続する。各ＯＮＵ２２−１〜２２−３には、コンピュータ２４−１〜２４−３が接続する。勿論、１台のＯＮＵに、ルータ又はゲートウエイを介して複数のコンピュータを接続することもできる。
【００２１】
ＯＬＴ１０は、各ＯＮＵ２２−１〜２２−３の送信タイミングと送信期間を制御し、ＯＮＵ２２−１〜２２−３と上位ネットワーク１２との間のデータ伝送を中継する。
【００２２】
上位ネットワーク１２からの下りデータ信号は、アップリンクポート１０ａを介してＬＡＮインターフェース３０に入力する。ＬＡＮインターフェース３０は、下りデータ信号を多重装置３２に出力する。ＯＬＴ１０を制御するＯＬＴ制御装置３４は、ＯＮＵ２２−１〜２２−３に対する種々の制御信号（例えば、各ＯＮＵ２２−１〜２２−３の送信タイミングと送信期間を指示するＧａｔｅメッセージ等）を多重装置３２に出力する。
【００２３】
多重装置３２は、ネットワークインターフェース３０からの下りデータ信号にＯＬＴ制御装置３４からの制御信号を多重し、多重信号を電気／光変換器３６に印加する。電気／光変換器３６は、多重装置３２からの多重信号を光信号（下り信号光）に変換し、ＷＤＭ光カップラ３８に印加する。ＷＤＭ光カップラ３８は、電気／光変換器３６からの下り信号光を、ＰＯＮポート１０ｂを介して光ファイバ１６に出力する。
【００２４】
ＯＬＴ１０のＰＯＮポート１０ｂから出力される下り信号光は、光ファイバ１６、光カップラ１８、光ファイバ２０−１〜２０−３を介して各ＯＮＵ２２−１〜２２−３に入力する。
【００２５】
各ＯＮＵ２２−１〜２２−３は、光ファイバ２０−１〜２０−３から入力する下り信号光を電気信号に変換し、自分宛であれば取り込み、他宛てであれば破棄する。各ＯＮＵ２２−１〜２２−３は、取り込んだ下り信号の内、自己宛の制御信号を内部処理すると共に、配下のコンピュータ２４−１〜２４−３宛てのデータ信号をコンピュータ２４−１〜２４−３に供給する。
【００２６】
他方、コンピュータ２４−１〜２４−３は、上位ネットワーク１２に向けたデータ信号をそれぞれＯＮＵ２２−１〜２２−３に出力する。各ＯＮＵ２２−１〜２２−３は、ＯＬＴ１０により許可された送信タイミング及び送信期間で、上り信号光をそれぞれ光ファイバ２０−１〜２０−３に出力する。この上り光信号は、配下のコンピュータ２４−１〜２４−３からの、上位ネットワーク１２に接続する機器（例えば、サーバ１４）に宛てたデータ信号（サーバ１４等に対する制御信号及び応答信号を含む）と、各ＯＮＵ２２−１〜２２−３がＯＬＴ１０に向けて出力する制御信号を搬送する。ＯＬＴユニット１０に宛てた制御信号は、論理リンク確立のための制御信号及び応答信号（例えば、Ｇａｔｅメッセージに応答するＲｅｐｏｒｔメッセージ等）などを含む。光カップラ１８は、各光ファイバ２０−１〜２０−３からの上り光信号を光ファイバ１６に出力する。このようにして、各ＯＮＵ２２−１〜２２−３から出力される上り信号光が、ＯＬＴ１０のＰＯＮポート１０ｂを介してＷＤＭ光カップラ３８に入力する。
【００２７】
ＷＤＭ光カップラ３８は、ＰＯＮポート１０ｂからの上り信号光を光／電気変換器４０に供給する。光／電気変換器４０は、ＷＤＭ光カップラ３８からの上り信号光を電気上り信号に変換する。分離装置４２は、光／電気変換器から出力される電気上り信号の内、ＯＬＴ１０に宛てた信号をＯＬＴ制御装置３４に供給し、上位ネットワーク１２に宛てた上り信号をＬＡＮインターフェース３０に供給する。
【００２８】
ＬＡＮインターフェース３０は、分離装置４２からの上り信号を上位ネットワーク１２に出力する。
【００２９】
本実施例では、ＯＬＴ制御装置３４は、下りＴＣＰスループットの改善のために、各ＯＮＵ２２−１〜２２−３の送信タイミングと送信期間を動的に制御する。そのために、ＯＬＴ制御装置３４は、各ＯＮＵ２２−１〜２２−３までの距離を測定する距離測定装置４４と、測定された距離と、当該距離に応じて各ＯＮＵ２２−１〜２２−３への割当て帯域を決定するパラメータを記憶する帯域割当てテーブル４６と、各ＯＮＵ２２−１〜２２−３の送信間隔と順序を決定する送信間隔順序決定装置４８を具備する。距離測定装置４４、帯域割当てテーブル４６及び送信間隔順序決定装置４８の機能は、マイクロコンピュータのメモリ及びプログラムにより実現され得る。
【００３０】
本実施例の特徴的な機能である各ＯＮＵ２２−１〜２２−３への上り信号帯域の割当て動作を説明する。
【００３１】
図３は、帯域割当てテーブル４６の一例を示す。テーブル４６は、ＯＮＵ（又はＬＬＩＤ）を指定するフィールド５０、各ＯＮＵ２２−１〜２２−３までの距離を格納する距離フィールド５２、送信間隔フィールド５４及び送信回数フィールド５６を具備する。送信間隔フィールド５４及び送信回数フィールド５６は、各ＯＮＵ２２−１〜２２−３に割り当てる上り帯域の上り送信間隔を定量的に決定する過程で暫定的に参照される参考値である。
【００３２】
ＯＬＴ制御装置３４は、ＯＮＵ２２−１〜２２−３の電源投入時等に、各ＯＮＵ２２−１〜２２−３にＬＬＩＤを付与する。その付与過程で、ＯＬＴ制御装置３４の距離測定装置４４が、各ＯＮＵ２２−１〜２２−３までの距離を計測し、帯域割当てテーブル４６の距離フィールド５２に格納する。
【００３３】
送信間隔順序決定装置４８は、テーブル４６の距離フィールド５２に格納される各ＯＮＵ２２−１〜２２−３に対する距離を参照して、各ＯＮＵ２２−１〜２２−３に対する送信間隔と順序を、以下に示す方法で決定する。本実施例では、送信間隔を距離に反比例させる。そのために、基準となる送信周期（Ｔｂａｓｉｃ）を予め決めておく。ここでは、Ｔｂａｓｉｃ＝５００μｓとする。そして、全ＯＮＵへの距離の平均Ｌａｖｅを算出する。図３に示す例では、
Ｌａｖｅ＝（Ｌ１＋Ｌ２＋Ｌ３）／３≒１２（ｋｍ）      （１）
である。ＯＮＵ２２−ｉ（ｉ＝１〜３）に対する送信間隔Ｔｉを、
Ｔｉ＝Ｔｂａｓｉｃ×Ｌａｖｅ／Ｌｉ          （２）
で決定する。この結果を、フィールド５４に格納する。
【００３４】
図３に示す距離例では、Ｔ１＝３００μｓ，Ｔ２＝６００μｓ、Ｔ３＝１２００μｓとなる。送信間隔Ｔｉがあまりに長いと、例えば、数ｍｓを超えるほどに長いと、ＶｏＩＰ等の通信で不利になるので、上限値を設定しておき、式（２）でＴｉが上限値を超える場合には、上限値で規制する。送信間隔順序決定装置４８は、ＯＮＵ（又はＬＬＩＤ）の追加又は削除がある都度、式（１），（２）の計算を再実行する。
【００３５】
フィールド５４の送信間隔から、１秒当たりの送信回数（＝１／Ｔｉ）を計算する。ここで算出される送信回数は、１秒を１つのＯＮＵ（又はＬＬＩＤ）が占有したと仮定した場合の送信回数である。上り信号の１送信回数あたりのデータサイズは一定である。図３に示す例では、ＯＮＵ２２−１に対して３３３３回、ＯＮＵ２２−２に対して１６６６回、ＯＮＵ２２−３に対して８３３回になる。１秒内のトータルの送信回数は、５８３２（＝３３３３＋１６６６＋８３３）となり、これを１秒内でランダムに配分することにより、各ＯＮＵ２２−１，２２−２，２２−３にその距離に反比例する送信間隔で送信を割り当てることができる。具体的には、送信間隔順序決定装置４８は、一定時間（例えば、１秒）内で、ＯＮＵ２２−１には、３３３３／５８３２の発生確率で送信をランダムに割り当て、ＯＮＵ２２−２には、１６６６／５８３２の発生確率で送信をランダムに割り当て、ＯＮＵ２２−３には、８３３／５８３２の発生確率で送信をランダムに割り当てる。
【００３６】
上り信号のデータサイズを一定とすると、送信間隔が短いほど、時間当たりにより多くの上りデータを送信できる。これを緩和するには、送信間隔の少ないＯＮＵ（又はＬＬＩＤ）には、１回のデータサイズを大きくする。本実施例では、送信回数の参考値（フィールド５４の値）を距離に反比例させたので、単位時間当たりのデータ量をＯＮＵ２２−１〜２２−３間で等しくするために、各ＯＮＵ（又はＬＬＩＤ）に許容する最大データサイズを距離に比例させる。図４は、このようなデータサイズの修整機能を持たせた帯域割当てテーブル４６ａの構成例を示す。１回あたりの最大送信データ量を収容するフィールド５８が追加されている。この場合、送信間隔順序決定装置４８は、フィールド５８の最大値の範囲内で、各ＯＮＵ２２−１〜２２−３が要求するデータ量の送信を許可する。
【００３７】
例えば、ＯＮＵ２２−３が常に、最大量のデータ送信を要求する場合に、これを許可すると、ＯＮＵ２２−１の送信間隔が開いてしまい、本来の意図に合わなくなる。これを防ぐには、例えば、データ送信量の増加に応じて、送信回数を減らすことも有効である。これにより、平均的には、距離的に近いＯＮＵに対して送信間隔を短くし、距離的に遠いＯＮＵに対して送信間隔を長くすることができる。
【００３８】
上記方法では、例えば、遠く離れたＯＮＵに対する送信回数（参考値）が極端に小さくなってしまうことがある。これを防ぐには、全体に共通するベースとなる送信回数（保証送信回数）を規定し、この基準送信回数を上回る送信回数を距離に応じて配分するようにすればよい。
【実施例２】
【００３９】
例えば、３台のＯＮＵ２２−１〜２２−３が接続しているので、基準送信間隔Ｔｂａｓｉｃ（＝５００μｓ）では、トータルで６０００回の送信が可能である。保証送信回数を例えば、５００回とすると、配分先を変更できる送信回数は、４５００（＝６０００−５００×３）回である。これを距離に応じて配分すると、ＯＮＵ２２−１に対する送信回数は、
４５００×Ｌ１／（Ｌ１＋Ｌ２＋Ｌ３）＋５００＝３０７１
ＯＮＵ２２−２に対する送信回数は、
４５００×Ｌ２／（Ｌ１＋Ｌ２＋Ｌ３）＋５００＝１７８６
ＯＮＵ２２−３に対する送信回数は、
４５００×Ｌ３／（Ｌ１＋Ｌ２＋Ｌ３）＋５００＝１１４３
となる。
【００４０】
この結果に従い、送信間隔順序決定装置４８は、一定時間（例えば、１秒）内で、ＯＮＵ２２−１には、３０７１／６０００の発生確率で送信をランダムに割り当て、ＯＮＵ２２−２には、１７８６／６０００の発生確率で送信をランダムに割り当て、ＯＮＵ２２−３には、１１４３／６０００の発生確率で送信をランダムに割り当てる。
【００４１】
この方法でも、実施例１と同様に、１回に送信可能な最大データ量を、遠いＯＮＵほど大きく設定してもよい。この場合、更に、送信可能な最大データ量の調整に応じて、発生確率の算定根拠となる送信回数を、実施例１の方法と同様の方法で調整しても良い。
【００４２】
特定の説明用の実施例を参照して本発明を説明したが、特許請求の範囲に規定される本発明の技術的範囲を逸脱しないで、上述の実施例に種々の変更・修整を施しうることは、本発明の属する分野の技術者にとって自明であり、このような変更・修整も本発明の技術的範囲に含まれる。
【図面の簡単な説明】
【００４３】
【図１】本発明の一実施例の概略構成ブロック図である。
【図２】ＴＣＰの接続から切断までのシーケンスを示す模式図である。
【図３】帯域割当てテーブルの構成及び数値の一例を示す。
【図４】帯域割当てテーブルの構成及び数値別の例を示す。
【図５】サーバからクライアントへのＴＣＰ通信のシーケンスを示す模式図である。
【図６】ＰＯＮシステムが介在する場合の、サーバからクライアントへのＴＣＰ通信のシーケンスを示す模式図である。
【図７】ＰＯＮ伝送路上の送信フレームの配置例であり、（ａ）は送信間隔が小さい場合を示し、同（ｂ）は大きい場合を示す。
【符号の説明】
【００４４】
１０：光終端装置（ＯＬＴ）
１０ａ：アップリンクポート
１０ｂ：ＰＯＮポート
１２：上位ネットワーク
１４：サーバ
１６：光ファイバ
１８：光カップラ
２０−１〜２０−３：光ファイバ
２２−１〜２２−３：光終端装置（ＯＮＵ）
２４−１〜２４−３：コンピュータ
３０：ＬＡＮインターフェース
３２：多重装置
３４：ＯＬＴ制御装置
３６：電気／光変換器
３８：ＷＤＭ光カップラ
４０：光／電気変換器
４２：分離装置
４４：距離測定装置
４６：帯域割当てテーブル
４８：送信間隔順序決定装置
【図１】
2007288629.tif 000003
【図２】
2007288629.tif 000004
【図３】
2007288629.tif 000005
【図４】
2007288629.tif 000006
【図５】
2007288629.tif 000007
【図６】
2007288629.tif 000008
【図７】
2007288629.tif 000009